(57)【特許請求の範囲】
【請求項１】
電子機器の音量を操作する回転ボリュームと、
上記回転ボリュームの回転方向、及び回転速度を検出するボリューム回転検出手段と、
上記回転速度が所定範囲内の場合は、回転量に応じて音量を増減すると共に、上記回転速度が所定範囲外の場合は上記電子機器の電源をオフする制御手段と、を有し、
上記ボリューム回転検出手段は、上記ボリュームの一方向回転が検出された際、所定時間内に反対方向の回転が検出されるかを検出する回転変更検出手段を有し、
上記制御手段は、上記ボリュームの一方向回転が検出された際、所定時間内に反対方向の回転が検出された場合はファンクション切換を行うことを特徴とする音量制御装置。
【請求項２】
回転ボリュームが操作された際に電源がオフ状態かを判定する電源状態検出手段を備え、上記制御手段は回転ボリュームが操作された際に電源がオフしていれば電源をオンすることを特徴とする請求項１記載の音量制御装置。
【請求項３】
電子機器の音量を操作する回転ボリュームと、
上記回転ボリュームの回転方向、及び回転速度を検出するボリューム回転検出手段と、
上記回転ボリュームが操作された際に音量値が所定値以下かを判断する音量値判定手段と、
上記音量値判定手段により回転ボリュームが回転された際に音量が所定以上の場合は、回転量に 応じて音量を増減すると共に、回転ボリュームが所定の方向に回転された際に音量が所定値より低い場合は電源をオフする制御手段と、を有し、
上記ボリューム回転検出手段は、上記ボリュームの一方向回転が検出された際、所定時間内に反対方向の回転が検出されるかを検出する回転変更検出手段を有し、
上記制御手段は、上記ボリュームの一方向回転が検出された際、所定時間内に反対方向の回転が検出された場合はファンクション切換を行うことを特徴とする音量制御装置。
【発明の詳細な説明】
【０００１】
【産業上の利用分野】
本発明は音響機器などの音量を調整する音量制御装置の改良に関し、特に車載用オーディオ装置に採用して有用な音量制御装置に関するものである。
【０００２】
【従来の技術】
従来音響機器の音量可変操作は回転式のツマミからなる回転ボリュウムを回転させることで、音響機器の出力レベルを調整するのが一般的である。
他方、音響機器の電源オン・オフには、パワー/ファンクションキーがあり、電源オフ中にこのキーが押されると電源オンになり、電源オン中にこのキーを所定時間未満押されるとファンクションモードが切り替わり、所定時間押され続けると、電源がオフになるようになされている。
【０００３】
【発明が解決しようとする課題】
音量調整のための操作性に重点をおけば回転ボリュウムのツマミをある程度大きくする必要があるが、今般表示部等のディスプレイの大型化に伴い操作キーに割り当てられる面積がかなり制限されており、それによって、音響機器の電源キーやファンクションキーの大きさが、必然的に小さくなってしまい、電源オフやファンクション切替の操作性が悪くなる課題があった。また、別々にキーが必要となるため、コストアップになると言う課題もあった。
【０００４】
本発明は、このような従来の問題点を解決し、音量調節や電源オンオフ或いはファンクション切換操作部を大型化でき、それらの操作性を向上する音量調整装置を提供することを目的とするものである。
【０００５】
【課題を解決するための手段】
上記の課題は本件第１の発明によれば、電子機器の音量を操作する回転ボリュームと、上記回転ボリュームの回転方向、及び回転速度を検出するボリューム回転検出手段と、上記回転速度が所定範囲内の場合は、回転量に応じて音量を増減すると共に、上記回転速度が所定範囲外の場合は上記電子機器の電源をオフする制御手段と、を有し、上記ボリューム回転検出手段は、上記ボリュームの一方向回転が検出された際、所定時間内に反対方向の回転が検出されるかを検出する回転変更検出手段を有し、上記制御手段は、上記ボリュームの一方向回転が検出された際、所定時間内に反対方向の回転が検出された場合はファンクション切換を行う、ことによって解決することができる。
【０００６】
又、上記の課題は本件第２の発明によれば、電子機器の音量を操作する回転ボリュームと、上記回転ボリュームの回転方向、及び回転速度を検出するボリューム回転検出手段と、上記回転ボリュームが操作された際に音量値が所定値以下かを判断する音量値判定手段と、上記音量値判定手段により回転ボリュームが回転された際に音量が所定以上の場合は、回転量に 応じて音量を増減すると共に、回転ボリュームが所定の方向に回転された際に音量が所定値より低い場合は電源をオフする制御手段と、を有し、上記ボリューム回転検出手段は、上記ボリュームの一方向回転が検出された際、所定時間内に反対方向の回転が検出されるかを検出する回転変更検出手段を有し、上記制御手段は、上記ボリュームの一方向回転が検出された際、所定時間内に反対方向の回転が検出された場合はファンクション切換を行うことによって解決することができる。
【０００７】
【作用】
本件第１の発明は、回転ボリュームの回転速度が所定値範囲内の場合は通常に音量の増減を行い、範囲外の場合は、電源をオフする。又、本件第２の発明は、回転ボリュームの回転方向が所定方向に回転された際に音量が所定値以上の場合は回転方向に応じて音量を増減し、音量が所定値よりも低い場合は電源をオフする。
【０００８】
【実施例】
［構成］
以下、本発明を図面に基づいて説明する。図１は本発明の一実施例を示すブロック構成図であり、マイクロコンピュータ１が回転ボリューム２の操作により電子ボリューム６、電源スイッチ回路１０、表示ドライバー１１を制御する。マイクロコンピュータ１が回転ボリューム２の回転方向と回転スピードを判断し、ミュート回路７のオン・オフや電子ボリューム６、電源スイッチ１０、表示ドライバー１１を制御する。電子ボリューム６は、音量のアップ・ダウン以外に、各ファンクションモードの入力を選択する機能も有し、チューナ３、CDメカモジュール４、外部オーディオ５等の中からオーディオ信号を選択する。表示器１２は、選択されたファンクションの状態や機器の電源オン・オフや電子ボリュウムの音量レベル等の状態を表示する。
【０００９】
［動作の概要］
図２（ａ）の（イ）、及び図２（ｂ）の（イ）に示されるように予め回転ボリューム２に対するCCW方向とCW方向の所定の回転スピードが記憶されている。機器が電源オン中で、かつ回転ボリュームをCCW方向に回転され、図２（ａ）の（ハ）に示されるように記憶された回転スピードより遅い場合は、音量を下げる。他方、図２（ａ）の（ロ）に示されるように記憶された回転スピードより速い場合は、機器の電源をオフする。
【００１０】
また、現在の電子ボリューム６の出力レベルを確認する。電子ボリューム６の出力レベルが最小状態で、かつ回転ボリュームをCCW方向に1ステップ回転した場合は、電源をオフする。他方、回転ボリューム６がCW方向に回転され、図２（ｂ）の（ハ）に示されるように記憶された回転スピードより遅い場合は、音量を上げる。図２（ｂ）の（ロ）に示されるように記憶された回転スピードより速い場合は、音量の可変はさせない。
【００１１】
更に、機器が電源オフ中で、かつ回転ボリューム６をCW方向に1ステップ回転された場合は、機器の電源をオンする。図２（Ｃ）、及び図２（ロ）に示されるように機器が電源オン中で、かつ回転ボリュウムをCW又はCCW方向に1ステップ回転させた後、直ぐに反回転のCCW又はCW方向に1ステップ回転させるとファンクションモードが1個切り替わる。この操作を繰り返すことで、ファンクションモードを、順次切り換えることが出来るが、連続して切り換える場合は、反対方向の回転をそのまま継続することで、連続してファンクション切換を行う。
【００１２】
［動作説明の詳細］
図３乃至図４にマイクロコンピュータ１に関するフローチャートを示す。図３は回転ボリュウムをCCW方向に回したときの処理である。STEP1で機器の電源がオンかオフ中かの判定を行う。電源オフ中であればそのまま終了する。電源オン中であればSTEP２で音量レベルの判定を行う。STEP２で音量レベルが最小であればSTEP7により電源オフ処理をして終了する。SUTEP２で音量レベルが最小以外であればSTEP3でタイマー動作中であるかどうかの判定を行う。そこでタイマー動作中でなければSTEP4で前回回転フラグがＣＣＷか判定し、ＣＣＷならばSTEP5で音量のボリューム１ステップダウン処理を行い、STEP6で前回回転フラグCCWを設定すると共にタイマーをスタートして終了する。
【００１３】
STEP3に話を戻しタイマーが動作中であればSTEP8のタイマーの時間を判定し、一定時間経過していなければ(例、10ms未満)STEP9で前回回転方向フラグの確認をし、CCW方向であればSTEP10で電源オフ処理そして終了する。CW方向であれば、STEP11のファンクション切換を行う処理をして終了する。また、一定時間経過していれば(例、10ms以上)STEP4で前回回転フラグがCCWならばSTEP5で音量のボリューム1ステップダウン処理を行い、STEP6へ進む。
【００１４】
図４が回転ボリュウムをCW方向に回したときの処理である。STEP21で機器の状態が電源オン中かオフ中か判断を行う。オフの場合、STEP26でPOWERON処理して終了する。オンの場合は、STEP22に進み、そこでタイマー動作中であるかどうかの判定を行い、タイマー動作中でなければSTEP23へ行き前回回転方向フラグがＣＷか判断する。前回回転方向のフラグがＣＷの時のみ音量のボリュウーム1ステップUP処理をし、STEP25でタイマーをスタートすると共に回転方向フラグをCWに設定し終了する。
【００１５】
STEP22でタイマーが動作中であればSTEP27でタイマーの時間を判定し、一定時間経過していなければ(例、10ms未満)STEP28で前回回転方向フラグの判定をし、CW方向であればSTEP29のファンクション切換を行う処理をして終了する。一定時間経過していれば(例、10ms以上)STEP23へ行き、以下同様の処理をして終了する。尚、図５は、ファンクション切換でモードが切り替わる表示の様子である。
【００１６】
【発明の効果】
以上のように本発明によれば、音量調整操作と電源オンオフ操作とを一つの操作部材で行うことができ、操作性の向上とコスト削減が行える。又、請求項４記載の発明によればファンクション切換に関する操作も一つの操作部材で行うことができ、更に操作性が向上する。
【図面の簡単な説明】
【図１】本発明の一実施例のブロック構成図である。
【図２】ボリュームの回転操作状態を説明する波形図である。
【図３】本発明の一実施例における回転ボリュウムをCCW方向に回したときのフローチャートである。
【図４】本発明の一実施例における回転ボリュウムをCW方向に回したときの処理フローチャートである。
【図５】回転ボリュームの操作に対するファンクション切換動作を示す図である。
【符号の説明】
１  マイクロコンピュータ
２  回転ボリュウム
３  TUNER
４  CDメカモジュール
５  MDメカモジュール
６  電子ボリュウム
７  ミュート回路
８  AMP
９  スピーカ
１０  電源スイッチ
１１  LCDドライバー
１２  LCD表示器
【図１】
0004429510.tif 000002
【図２】
0004429510.tif 000003
【図３】
0004429510.tif 000004
【図４】
0004429510.tif 000005
【図５】
0004429510.tif 000006